(57)【要約】【課題】ユーザに合った占い師に関する情報を提供する仕組みを得る。【解決手段】アンケート処理部１４が、質問情報をユーザに提供して、この質問情報に対する回答を受付けると共に、ユーザに提供した質問情報を占い師にも提供してユーザが質問情報に対してどのような回答を行なったかに関する回答を受付け、マッチング処理部１５が、ユーザからの回答に適合する回答を行った占い師を抽出し、この抽出された占い師に関する情報を通知処理部１６によりユーザに通知するようにした。【選択図】　　　　図１
2004062370.tif 000002
【特許請求の範囲】
【請求項１】
占いを依頼したユーザに対して、当該ユーザに適合する占い師に関する情報を提供するためのシステムであって、
所定の質問情報を上記ユーザに提供して、この質問情報に対する回答を受付けると共に、上記ユーザに提供した質問情報を上記占い師に提供して、上記ユーザが質問情報に対してどのような回答を行なったかに関する回答を上記占い師から受付ける質問情報処理手段と、
上記ユーザからの回答に適合する回答を行った占い師を抽出する抽出手段と、
上記抽出された占い師に関する情報を上記ユーザに通知する通知手段と、
を有することを特徴とする占い師情報提供システム。
【請求項２】
上記質問情報処理手段は、ユーザに提供する質問情報として、ユーザの氏名、年齢、生年月日、性別のうちの少なくとも一つの情報を含む質問情報を提供し、上記占い師に対して質問情報を提供する際に、上記ユーザの氏名、年齢、生年月日、性別のうちの少なくとも一つの情報を提供し、上記提供した情報に基づいて上記ユーザの質問情報に対する回答を予測した回答を受付ける、
請求項１記載の占い師情報提供システム。
【請求項３】
上記質問情報は、少なくとも上記ユーザの特徴を表す質問を含んでいる、
請求項１又は２記載の占い師情報提供システム。
【請求項４】
上記占い師に関する情報を、当該占い師が占いを行う分野別に記憶した占い師情報記憶手段を更に有し、
上記質問情報処理手段は、上記ユーザから占いを行いたい分野の情報を受付け、上記占い師情報記憶手段を参照して、上記ユーザから受付けた占い分野情報に該当をする占い師に対して質問情報を提供する、
請求項１〜３のいずれかの項に記載の占い師情報提供システム。
【請求項５】
上記質問情報は、複数の質問項目からなり、
上記抽出手段は、各質問項目に対して、上記占い師の回答が上記ユーザの回答に一致する項目数が最も多い占い師をユーザに適合する占い師として抽出する、
請求項１〜４のいずれかの項に記載の占い師情報提供システム。
【請求項６】
上記質問情報は、複数の質問項目からなり、
上記抽出手段は、各質問項目に対して、上記占い師の回答が上記ユーザの回答に一致する項目数が多い順に占い師を抽出し、
上記通知手段は、上記質問項目に対する一致する数が多い順に、占い師に関する情報を上記ユーザに通知する、
請求項１〜５のいずれかの項に記載の占い師情報提供システム。
【請求項７】
コンピュータにより、占いを依頼したユーザに対して、当該ユーザに適合する占い師に関する情報を提供するための方法であって、
上記ユーザに対して所定の質問情報を提供する処理と、
上記ユーザから、上記質問情報に対する回答を受付ける処理と、
占い師に対して、上記ユーザに提供した質問情報を提供する処理と、
上記占い師から、上記ユーザが上記質問情報に対してどのような回答を行なったかに関する回答を受付ける処理と、
上記ユーザからの回答に適合する回答を行った占い師を抽出する処理と、
上記抽出された占い師に関する情報を上記ユーザに通知する処理と、
からなることを特徴とする占い師情報提供方法。
【請求項８】
コンピュータに対して、
ユーザに対して所定の質問情報を提供する処理と、
上記ユーザから、上記質問情報に対する回答を受付ける処理と、
占い師に対して、上記ユーザに提供した質問情報を提供する処理と、
上記占い師から、上記ユーザが上記質問情報に対してどのような回答を行なったかに関する回答を受付ける処理と、
上記ユーザからの回答に適合する回答を行った占い師を抽出する処理と、
上記抽出された占い師に関する情報を上記ユーザに通知する処理と、
を実行させるコンピュータプログラム。
【発明の詳細な説明】
【０００１】
【発明の属する技術分野】
本発明は、ユーザに適した占い師に関する情報を提供するための技術に関する。
【０００２】
【従来の技術】
従来から、インターネット、雑誌、テレビなど様々な媒体を介して占いが提供されている。これらの占いは、例えば、血液型、星座、四柱推命など様々な観点からの占いがある。
また、個別に占い師に占ってもらいたい場合には、直接有名な占い師の所に行って占いを行ってもらっていた。
【０００３】
【発明が解決しようとする課題】
しかし、従来のテレビ、新聞、雑誌などの占いは、同じ星座や血液型などの人一般に対する占い情報が提供されているだけであり、各個人に合った占いを提供するものではなかった。
また、インターネット上の占いサイトや、あるいは実際に有名な占い師のところに行って占ってもらうこともできるが、これらの占い師が本当に自分に合っている占い師であるとは限らず、自分に合った占い師を探すことは非常に困難であった。
特に、人生の決断を迫られている人や、悩みを抱えている人にとっては、有名な占い師であっても必ずしも自分に合うとは限らないため、占いの結果にも信憑性がなくユーザに決断を与えるものとしては不十分であった。
【０００４】
本発明は、上述の問題点を解決するためになされたものであって、ユーザに適合した占い師に関する情報を提供することができる仕組みを提供することを課題とする。
【０００５】
【課題を解決するための手段】
上記課題を解決するため、本発明の一の観点にかかる占い師情報提供システムは、占いを依頼したユーザに対して、当該ユーザに適合する占い師に関する情報を提供するためのシステムであって、所定の質問情報を上記ユーザに提供して、この質問情報に対する回答を受付けると共に、上記ユーザに提供した質問情報を上記占い師に提供して、上記ユーザが質問情報に対してどのような回答を行なったかに関する回答を受付ける質問情報処理手段と、上記ユーザからの回答に適合する回答を行った占い師を抽出する抽出手段と、上記抽出された占い師に関する情報を上記ユーザに通知する通知手段とを有することを特徴とする。
【０００６】
また、上記質問情報処理手段は、ユーザに提供する質問情報として、ユーザの氏名、年齢、生年月日、性別のうちの少なくとも一つの情報を含む質問情報を提供し、上記占い師に対して質問情報を提供する際に、上記ユーザの氏名、年齢、生年月日、性別のうちの少なくとも一つの情報を提供し、上記提供した情報に基づいて上記ユーザの質問情報に対する回答を予測した回答を受付けるようにしてもよい。
【０００７】
また、上記質問情報は、少なくとも上記ユーザの特徴を表す質問を含んでいてもよい。
また、上記占い師に関する情報を、当該占い師が占いを行う分野別に記憶した占い師情報記憶手段を更に有し、上記質問情報処理手段は、上記ユーザから占いを行いたい分野の情報を受付け、上記占い師情報記憶手段を参照して、上記ユーザから受付けた占い分野情報に該当する占い師に対して質問情報を提供するようにしてもよい。
【０００８】
また、上記質問情報は、複数の質問項目からなり、上記抽出手段は、各質問項目に対して、上記占い師の回答が上記ユーザの回答に一致する項目数が最も多い占い師をユーザに適合する占い師として抽出するようにしてもよい。
【０００９】
上記質問情報は、複数の質問項目からなり、上記抽出手段は、各質問項目に対して、上記占い師の回答が上記ユーザの回答に一致する項目数が多い順に占い師を抽出し、上記通知手段は、上記質問項目に対して一致する数が多い順に、占い師に関する情報を上記ユーザに通知するようにしてもよい。
【００１０】
本発明の一の観点にかかる占い師情報提供方法は、コンピュータにより、占いを依頼したユーザに対して、当該ユーザに適合する占い師に関する情報を提供するための方法であって、上記ユーザに対して所定の質問情報を提供する処理と、上記ユーザから、上記質問情報に対する回答を受付ける処理と、占い師に対して、上記ユーザに提供した質問情報を提供する処理と、上記占い師から、上記ユーザが上記質問情報に対してどのような回答を行なったかに関する回答を受付ける処理と、上記ユーザからの回答に適合する回答を行った占い師を抽出する処理と、上記抽出された占い師に関する情報を上記ユーザに通知する処理とからなることを特徴とする。
【００１１】
本発明の一の観点にかかるコンピュータプログラムは、コンピュータに対して、ユーザに対して所定の質問情報を提供する処理と、上記ユーザから、上記質問情報に対する回答を受付ける処理と、占い師に対して、上記ユーザに提供した質問情報を提供する処理と、上記占い師から、上記ユーザが上記質問情報に対してどのような回答を行なったかに関する回答を受付ける処理と、上記ユーザからの回答に適合する回答を行った占い師を抽出する処理と、上記抽出された占い師に関する情報を上記ユーザに通知する処理と、を実行させることを特徴とする。
【００１２】
【発明の実施の形態】
以下、図面を参照して、本発明にかかる一実施形態について説明する。
図１に本発明にかかる占い師情報提供システム及びコンピュータプログラムを適用したシステムの一実施形態を示す。
図１において、本実施形態にかかるシステムは、Ｗｅｂサーバ１と、このＷｅｂサーバ１とインターネットを介して接続可能に構成されたユーザ端末２及び占い師端末３から構成されている。
【００１３】
ユーザ端末２は、占い師に占いを依頼するユーザが使用する端末である。
このユーザ端末２は、コンピュータにより構成され、所定のブラウザによりインターネットに接続可能に構成されている。このユーザ端末２にはディスプレイ、キーボード、ポインティングデバイスなどが接続され、これによりＷｅｂページを表示したり、所定の情報入力ができるように構成されている。
このユーザ端末２としては、例えば、いわゆるパソコンでもよいし、またインターネットに接続可能な携帯電話端末、ＰＤＡ（Ｐｅｒｓｏｎａｌ　Ｄｉｇｉｔａｌ　Ａｓｓｉｓｔａｎｃｅ）などにより構成することができる。
【００１４】
占い師端末３は、占いを行う占い師が使用する端末である。ここで、占い師とは、占いを専門に行っている人だけでなく、占いを行うことができる人であればよい。
この占い師端末３は、コンピュータにより構成され、所定のブラウザによりインターネットに接続可能に構成されている。この占い師端末３にはディスプレイ、キーボード、ポインティングデバイスなどが接続され、これによりＷｅｂページを表示したり、所定の情報入力ができるように構成されている。
この占い師端末３は、例えば、いわゆるパソコンでもよいし、またインターネットに接続可能な携帯電話端末、ＰＤＡ（Ｐｅｒｓｏｎａｌ　Ｄｉｇｉｔａｌ　Ａｓｓｉｓｔａｎｃｅ）などにより構成することができる。
【００１５】
Ｗｅｂサーバ１は、本発明にかかる占い師情報提供システムを構成する。
このＷｅｂサーバ１は、コンピュータにより構成され、ＣＰＵ（Ｃｅｎｔｒａｌ　Ｐｒｏｃｅｓｓｉｎｇ　Ｕｎｉｔ）と、ＣＰＵが実行するコンピュータプログラムと、このコンピュータプログラム等を記憶するためのＲＡＭ、ＲＯＭなどの内部メモリ及びハードディスクドライブなどの外部記憶装置により、図２に示した機能ブロックを構成することができる。
図２に示した機能ブロックは、占い師データベース１１、アンケート情報記憶部１２、Ｗｅｂ情報処理部１３、アンケート処理部１４、マッチング処理部１５、通知処理部１６から構成されている。
【００１６】
占い師データベース１１は、占い師に関する情報をデータベース化したものである。
この占い師データベース１１には、図３に示すように、占い師が得意とする占いの分野情報、占い師の名称、占い師の電子メールアドレス等が記憶できるようになっている。
なお、占い師名称は実名でなくとも、その占い師を特定できる名称であればよい。また、一人の占い師が複数の分野に登録してもよい。
【００１７】
アンケート情報記憶部１２は、占い師及びユーザに対して提供するアンケート情報を記憶することができる記憶部である。
このアンケート情報は、ＨＴＭＬファイルなどに作成されており、例えば、占いを依頼する分野、ユーザの氏名、生年月日、年齢、性別、住所、職業、ユーザの過去に起こった出来事などの質問項目から構成されている。
過去に起こった出来事としては、過去にユーザが体験した象徴的な出来事や、また今回の占いの分野に関連した体験を記載させるようにしてもよい。
なお、アンケート情報は、本実施形態では１種類のみであるが、占いの分野に応じて複数種類のアンケート情報を用意し、ユーザから依頼された占い分野のアンケートを使用するようにしてもよい。
【００１８】
Ｗｅｂ情報処理部１３は、インターネット上でＷｅｂページを提供するための処理を行う。このＷｅｂ情報処理部１３は、例えば、テキストデータ、画像データなどで作成されたデータをＨＴＭＬ形式に変換し、これを所定のＷｅｂページ上で提供するなどの処理を行うことができる。
【００１９】
アンケート処理部１４は、ユーザアンケート情報を提供し、このアンケート情報に対する回答を受付ける処理を行う。
また、アンケート処理部１４は、占い師に対して、ユーザへ提供したアンケート情報と同じアンケート情報を提供し、このアンケート情報に対する回答を受付ける処理を行う。
なお、占い師に対してアンケート情報を提供する際には、アンケート処理部１４は、ユーザの氏名、年齢、生年月日、性別のうちの少なくとも一つの情報を占い師に提供し、提供した情報に基づいて、ユーザの過去に起こった出来事などを予測した情報を回答として受付けることができる。
なお、このアンケート情報の提供は、例えば、アンケート処理部１４が、Ｗｅｂ情報処理部１３を介してＷｅｂページ上でアンケート情報を表示し、このＷｅｂページ上で回答を入力させるようにしてもよいし、またアンケート処理部１４が電子メールなどによりアンケート情報を直接送信してこれに回答させるようにしてもよい。
【００２０】
マッチング処理部１５は、ユーザからの回答に基づいて、ユーザからの回答に適合する回答を行った占い師を抽出する処理を行う。
このマッチング処理は、例えば、マッチング処理部１５が、占い師がユーザの生年月日などから予測してユーザの過去に経験した事象などの回答に基づいて、これが実際にユーザから回答された事象と一致するか否かを判別することにより行ってもよい。
また、マッチング処理部１５は、質問項目に対する占い師の回答のうち、ユーザからの回答と一致する項目数が多い順に、占い師に順位を付けて抽出するようにしてもよい。
【００２１】
通知処理部１６は、マッチング処理部１５が抽出した占い師の情報をユーザに通知する処理を行う。
この処理は、例えば、通知処理部１６が抽出された占い師の情報を所定のＷｅｂページ上で表示するようにしてもよいし、また電子メールによりユーザに通知してもよい。
また、占い師に関する情報としては、例えば、占い師名のほか、占い師が占いを行う分野、占い師のメールアドレス、占い師からのコメント、占い師に対する他のユーザからのコメントなどを含んでもよい。
【００２２】
次に、本発明にかかる占い師情報提供方法の一実施形態について図４を参照して説明する。
なお、本実施形態では予め占い師の情報が占い師データベース１１に登録されているものとする。
図４において、ユーザはＷｅｂ情報処理部１３が提供するＷｅｂページにアクセスしてＷｅｂサーバ１に対して占い要求を行うと、アンケート処理部１４がこの要求を受付ける（Ｓ１）。
【００２３】
この要求に基づいて、アンケート処理部１４は、アンケート情報記憶部１２に記憶されているアンケート情報を抽出し、これをＷｅｂページに表示してユーザにアンケートの回答を要求する（Ｓ２）
この画面の一例を図５に示す。図５に示した例では、アンケート情報としては、例えば、占い分野、氏名、年齢、生年月日、メールアドレス、住所、職業、得意分野、趣味、恋愛経験、性格などの項目からなっている。
そして、図５に示した例では、占い分野、職業、得意分野、趣味、恋愛経験、性格などの項目は、プルダウンメニューとして、予め決められた項目からユーザが選択して入力するようになっている。
【００２４】
ユーザがアンケートに対する回答情報を送信すると、アンケート処理部１４は占い師データベース１１を参照して当該アンケートの占い分野情報に該当する占い師を抽出して、抽出した占い師に対して、ユーザに通知したアンケート情報と同じアンケート情報を提供して、ユーザがどのような回答を行ったか予測するように要求する（Ｓ３）。
この際、例えば、アンケート処理部１４は、ユーザから通知された回答情報のうち、ユーザの氏名、生年月日、年齢の少なくとも一つの情報を占い師に提供し、これに基づいて予測を行うよう要求してもよい。
【００２５】
占い師が通知された情報に基づいてユーザの回答を予測してアンケートに回答すると、アンケート処理部１４がこの回答を受付ける（Ｓ４）。
そして、マッチング処理部１５が、受付けた占い師からの回答（予測）が、ユーザからのアンケートの回答情報に適合している項目数を算定する（Ｓ５）。
この処理は、例えば、マッチング処理部１５が、占い師が予測したユーザの職業、得意分野、趣味、恋愛経験、性格などの項目うち、ユーザの回答した項目と一致した項目数を求めることにより行うことができる。
【００２６】
マッチング処理部１５は、占い師からの回答のうち、ユーザの回答に適合している項目数が多い順に占い師に順位付けを行う（Ｓ６）。
そして、通知処理部１６は、図６に示すように、最も適合する項目が多い占い師に関する情報をユーザに通知する（Ｓ７）。
ユーザは通知された占い師の情報を見て、占いを依頼するか否か判断し、依頼する場合には、ＯＫの回答を行うことにより、通知処理部１６が占い師に対して正式に占いの依頼を通知し（Ｓ８）、処理を終了する。
なお、その後ユーザは、占ってもらいたい内容の詳細を占い師に通知することにより占いを正式に占い師に依頼することができる。
【００２７】
このように、本実施形態のシステムによれば、アンケート処理部１４が、質問情報をユーザに提供して、この質問情報に対する回答を受付けると共に、ユーザに提供した質問情報を占い師にも提供してユーザが質問情報に対してどのような回答を行なったかに関する回答を受付け、マッチング処理部１５が、ユーザからの回答に適合する回答を行った占い師を抽出し、この抽出された占い師に関する情報を通知処理部１６によりユーザに通知するようにしたことから、ユーザはその人に合った占い師に対して占いを依頼することができる。
これにより、ユーザは自分に関する事象を予測することができる占い師、即ち自分に最もあった占い師を簡単に探すことができ、占いの結果についてもより信憑性が高くなる。
【００２８】
また、アンケート処理部１４が、占い師に対して質問情報を提供する際に、ユーザの氏名、年齢、生年月日、性別のうちの少なくとも一つの情報を提供するようにしたことから、占い師はこの情報に基づいて個々のユーザの回答を予測することができ、より占い師の信憑性が高くなる。
【００２９】
また、マッチング処理部１５が、質問項目に対して、占い師の回答がユーザの回答に一致する項目数が最も多い占い師をユーザに適合する占い師として抽出するようにしたことから、最もユーザに合った占い師の情報をユーザに提供できる。
【００３０】
また、占い師データベース１１に、占い師が占いを行う分野別に占い師の情報を記憶するようにし、アンケート処理部１４が、当該分野に適合する占い師に対してのみアンケート情報を提供するようにしたことから、ユーザの占ってもらいたい分野に合った占い師の中から効率的にそのユーザに合った占い師を抽出することができる。
【００３１】
なお、上述の実施形態では、最適な占い師を一人だけ抽出する例について説明したが、本発明はこれに限定されるものではない。例えば、マッチング処理部１５が、複数の占い師からの回答に基づいて、ユーザの回答に一致する項目数が多い順に占い師を抽出し、通知処理部１６が、この一致する項目数が多い順に占い師に関する情報一覧表示して、ユーザに選択してもらうようにしてもよい。これにより、ユーザの合った占い師の中からユーザが占い師のコメントなどを参考に自由に選択することができる。
【００３２】
また、Ｗｅｂサーバ１側では、占い師のマッチングを行わずに、占い師からの回答結果をそのままユーザに通知し、ユーザが自由に占い師を選択できるようにしてもよい。
【００３３】
また、本実施形態にかかるＷｅｂサーバ１は、単体の装置により構成してもよいし、複数の装置の協働により一つのＷｅｂサーバを構成するようにしてもよく任意である。
【００３４】
本実施形態にかかるＷｅｂサーバ１用のコンピュータプログラムは、これを格納したコンピュータ読み取り可能な媒体（ＦＤ、ＣＤ−ＲＯＭ等）に格納して流通させてもよい。
また、Ｗｅｂサーバ１用コンピュータプログラムを搬送波に重畳し、通信ネットワークを介して配信することも可能である。例えば、通信ネットワークの掲示板（ＢＢＳ）に当該プログラムを掲示し、これをネットワークを介して配信するようにしてもよい。
なお、上述の機能をＯＳ（Ｏｐｅｒａｔｉｎｇ　Ｓｙｓｔｅｍ）が分担又はＯＳとアプリケーションプログラムの共同により実現する場合等には、ＯＳ以外の部分のみをコンピュータプログラムとして、またこのコンピュータプログラムをコンピュータ読み取り可能な媒体に格納してもよい。
【００３５】
【発明の効果】
本発明によれば、各ユーザに合った占い師の情報を簡単に得ることができ、ユーザに合った占いが可能となる。
【図面の簡単な説明】
【図１】本発明にかかる占い師情報提供システムの一実施形態の例を示した全体構成図。
【図２】本実施形態にかかるＷｅｂサーバの機能ブロック図。
【図３】本実施形態にかかる占い師データベースに記憶されるデータの一例を示した図。
【図４】本実施形態にかかる占い師情報提供方法の処理の流れを示した処理フロー。
【図５】本実施形態にかかるアンケート情報を表示した際の画面の一例を示した図。
【図６】本実施形態にかかる占い師情報を表示した際の画面の一例を示した図。
【符号の説明】
１　　　Ｗｅｂサーバ
２　　　ユーザ端末
３　　　占い師端末
１１　　占い師データベース
１２　　アンケート情報記憶部
１３　　Ｗｅｂ情報処理部
１４　　アンケート処理部
１５　　マッチング処理部
１６　　通知処理部
【図１】
2004062370.tif 000003
【図２】
2004062370.tif 000004
【図３】
2004062370.tif 000005
【図４】
2004062370.tif 000006
【図５】
2004062370.tif 000007
【図６】
2004062370.tif 000008